(57)【要約】      （修正有）【課題】ひざ掛けまたは肩掛け毛布として、他に枕としてまた、不使用時はぬいぐるみ人形として使用できるひざ掛毛布の提供。【解決手段】周縁３を縫取りした横長方形状の布地本体２、布地本体２の短辺側の一端縁４および布地本体の中央部に、それぞれ面ファスナー５、６などの係合部材を設けるとともに、両係合部材間にぬいぐるみ人形１０を配置したぬいぐるみ人形付ひざ掛け毛布１としたことである。【選択図】図１
0003121760.tif 000002
【実用新案登録請求の範囲】
【請求項１】
周縁を縫取りした横長方形状の布地本体、該布地本体の短辺側の一端縁および布地本体の中央部に、それぞれ係合部材を設けるとともに、該係合部材間にぬいぐるみ人形を配置したことを特徴とするぬいぐるみ人形付ひざ掛け毛布。
【請求項２】
前記係合部材が面ファスナーであることを特徴とする請求項１記載のぬいぐるみ人形付ひざ掛け毛布。
【請求項３】
前記長方形状の布地本体が、立毛布帛であることを特徴とする請求項１記載のぬいぐるみ人形付ひざ掛け毛布。  
【考案の詳細な説明】
【技術分野】
【０００１】
この考案は、ひざ掛けまたは肩掛け毛布として、あるいは不使用時はぬいぐるみ人形として使用できるひざ掛毛布に関する。
【背景技術】
【０００２】
従来のひざ掛け毛布は、横長方形状に形成されているのみであるから、不使用時には小さく折り畳んで押入れ、あるいは部屋の片隅などに収納するのみで、ひざ掛けの機能しか有していない。
【０００３】
また、不使用時に折畳たんで押入れに収納したり、あるいは、部屋の片隅に置いても邪魔とならないようにするため、横長方形状のひざ掛け本体に、該ひざ掛け本体を収納するための収納袋を一体に設けたひざ掛け毛布が提案されている。（特許文献１参照）  
【特許文献１】実用新案登録第３０３３３１１号公報
【考案の開示】
【考案が解決しようとする課題】
【０００４】
上記の特許技術文献１に記載の保温用掛け布及びタオルは、不織布又は織布により略矩形状に形成した保温用掛け布本体の略中央に、該保温用掛け布本体を収容するための袋体を設け、該袋体内に折畳んだ掛け布本体を収容するように構成されている。
【０００５】
また、前記の保温用掛け布本体を収容する袋体は、手足を備えた動物や人形状に形成されていて、該袋体の背部長手方向布本体を収容するための開口部が設けられ、さらに、該開口部を開閉するスライドファスナーが設けられた形状からなっている。
【０００６】
上記の保温用掛け布及びタオルは、不使用時に略矩形状に形成した掛け布本体を三重に折畳んだ後に、それを巻き込んで袋体の開口部から袋体内に収納している。
しかし、この袋体への収納は保温用掛け布本体を丁寧に折畳んだ上に、さらに、小さく巻き込まないと袋体内への収納は難しく面倒である。
また、布本体を小さく丁寧に畳まないと袋体内に収納できない上に、開口部のスライドファスナーが閉まらない問題がある。
【課題を解決するための手段】
【０００７】
この考案は、保温用ひざ掛けとして使用する他に、枕として、あるいはぬいぐるみ玩具として使用することが出来るひざ掛け毛布を提供しようとするものである。
この考案は上記の課題を解決するために、周縁を縫取りした横長方形状の布地本体、該布地本体の短辺側の一端縁および布地本体の中央部に、それぞれ面ファスナーなどの係合部材を設けるとともに、該両係合部材間にぬいぐるみ人形を配置したぬいぐるみ人形付ひざ掛け毛布としたことである。
【０００８】
また、布地本体を肌触り感が毛皮に似た立毛布帛を用いたぬいぐるみ人形付きひざ掛け毛布としたことである。
【考案の効果】
【０００９】
この考案は、上述の構成としたことにより、ひざ掛け毛布として使用しない場合は、横長方形状の布地本体の裏面側の上下端部を突合せるように内方に折り込み、さらに、布地本体の中央部に設けた面ファスナー側の布地の端部を、面ファスナーのところまで巻き込み、該端部をぬいぐるみ人具の胴部付近に位置させ、一方、ぬいぐるみ人形側の端縁も巻き込んで該端縁の面ファスナーを他方の面ファスナーと係合させることによりぬいぐるみ人形に変身するので、玩具として使用できる。
また、巻き込み畳んだひざ掛け毛布を枕としても使用できる。
【考案を実施するための最良の形態】
【００１０】
この考案の実施の形態を以下の実施例に基き説明する。
【実施例】
【００１１】
図１は、この考案のひざ掛け毛布の表面図であり、図２は同裏面図である。また、図３〜図４は不使用時に、枕あるいはぬいぐるみ人形として使用するための折畳み過程を示す図であり、図５はぬいぐるみ人形に形成した斜視図である。
【００１２】
図において１はこの考案のひざ掛け毛布で、該ひざ掛け毛布１は、肌触りが動物の毛皮に似せて加工製造した立毛性の布帛で、横長方形状の布地本体２に形成する。
この布地本体２の周端縁部３を縁取り縫いし、該周端縁部３の縫取りした布地本体２の一側の短い辺の端縁部４に係合部材として面ファスナー５を逢着する。
また、前記横長方形状の布地本体２の表側２ａの短い辺の一方の端縁部４に逢着した前記係合部材の面ファスナー５と係合する他方の面ファスナー６を布地本体２の表側の中央部に逢着するとともに、該係合部材の両面ファスナー５，６間にぬいぐるみ人形１０を配設するのであるが、実施例ではぬいぐるみ人形１０として、頭部１１、前足１２、後足１３及び尾部１４からなる動物人形１０を配設して成るが、これに限定されるものではない。
また、係合部材として面ファスナー５，６を用いたが、スナップボタンなどを用いてもよい。
【００１３】
上記のように構成したひざ掛け毛布１を折畳みする場合は、図３に示すように、横長方形状の布地本体２の裏面側２ｂにおいて、横長方形状の布地本体２の上下側縁２ｃ、２ｄが対峙するように内方に折畳む。
【００１４】
上下端縁２ｃ、２ｄを折畳んだ布地本体２の短辺の他側４ａを中央部に設けた面ファスナー６に向けて巻き込み、さらに、中央部の面ファスナー６を動物人形１０の近くまで巻き込み、一方、他方の面ファスナー５を、前記面ファスナー６の近傍に図４に示すよう巻き込んだ後、両面ファスナー５，６を係合させることにより、巻き込んだ布地本体２が動物の胴部となり、図５に示すとおりの動物人形１０が形成される。
【００１５】
また、この考案は、布地本体２を動物の毛皮に真似て加工製造した立毛性の布帛とすることにより、該布帛で構成されてされた動物人形１０は、独特な柔らかな感触を有するので、肌触りが良く、また、掛け毛布１として使用した場合に保温性に優れたものとなる。
【００１６】
さらに、収納時に従来の本体を袋体に収納する方式のひざ掛け毛布は、布地本体を丁寧に小さく畳まねば袋体内に収納できないが、この考案のひざ掛け毛布は、面ファスナーが係合できるように畳めば、簡単にぬいぐるみ人形を形成できる。
【図面の簡単な説明】
【００１７】
【図１】この考案のひざ掛け毛布の一実施例の表面図である。
【図２】同上の裏面図である。
【図３】この考案のひざ掛け毛布の収納状態の一手順を示す図である。
【図４】この考案のひざ掛け毛布の収納状態の他の手順を示す図である。
【図５】この考案のひざ掛け毛布をぬいぐるみ人形に形成した状態の斜視図である。
【符号の説明】
【００１８】
１  ひざ掛け毛布
２  布地本体
２ａ  表面    
２ｂ  裏面
２ｃ  上側縁
２ｄ  下側縁
３  周端縁部  
４  短い辺側の一端縁部
４ａ  短い辺側の他端縁部    
５  面ファスナ−
６  面ファスナー
１０  ぬいぐるみ人形
１１  頭部
１２  前足  
１３  後足
１４  尾部
【図１】
0003121760.tif 000003
【図２】
0003121760.tif 000004
【図３】
0003121760.tif 000005
【図４】
0003121760.tif 000006
【図５】
0003121760.tif 000007